(57)【要約】      （修正有）【課題】点光源としてのＬＥＤを必要最少数使用しながらも十分な光量にて、光量バラツキなく、電飾図柄を照明して前方から視認し易くし、更に遊技盤の加工手数を低減した装飾装置、電飾ユニット、電飾装置、及びパチンコ遊技機を提供する。【解決手段】中央開口部４の周縁に沿った遊技盤面に開口形成された透光穴３０、３１装飾部品は、センター部材１０に固定され且つ透光穴の前面に配置された透光板３６と、透光穴内に対応する領域内に近接して描かれた複数の絵柄４１を有した透光性の絵柄フィルム４０と、絵柄に対応する範囲に配置された光拡散透光性フィルム４５と、絵柄に対応する範囲に夫々配置された光拡散用の凹レンズ板５０と、各凹レンズ板の外周輪郭に沿って裏面側に突設された遮光性の環状隔壁５１と、を備え、一つの透光穴内に対応する範囲には、複数の環状隔壁が含まれている。【選択図】図２
2008167878.tif 000002
【特許請求の範囲】
【請求項１】
遊技盤に形成した中央開口部と、該中央開口部の周縁に沿った遊技盤面に開口形成された貫通穴状、或いは切欠き穴状の透光穴と、前記中央開口部内に配置されるセンター部材と、前記透光穴内に配置される装飾部品と、を備え、
前記装飾部品は、前記センター部材に固定され且つ前記透光穴の前面に配置された透光板と、該透光板の背面に配置され、且つ前記透光穴内に対応する領域内に近接して描かれた複数の絵柄を有した透光性の絵柄フィルムと、該絵柄フィルムの背面であって各絵柄に対応する範囲に配置された光拡散透光性フィルムと、該各光拡散透光性フィルムの背面であって前記各絵柄に対応する範囲に夫々配置された光拡散用の凹レンズ板と、各凹レンズ板の外周輪郭に沿って裏面側に突設された遮光性の環状隔壁と、を備え、
一つの前記透光穴内に対応する範囲には、複数の前記環状隔壁が含まれていることを特徴とする装飾装置。
【請求項２】
前記各絵柄に対応する前記透光板の背面を凹状に構成することによって凸レンズとして構成したことを特徴とする請求項１に記載の装飾装置。
【請求項３】
請求項１又は２に記載の装飾装置の背面側であって各環状隔壁の中空内部と対応する位置に夫々配置された発光部材と、前記各発光部材と前記各レンズ板との間に配置され複数の光拡散用の小凸レンズを隣接配置した凸レンズアレイと、を有したことを特徴とする電飾ユニット。
【請求項４】
請求項１又は２に記載の装飾装置と、請求項３に記載の電飾ユニットを備えたことを特徴とする電飾装置。
【請求項５】
請求項４に記載の電飾装置を備えたことを特徴とする遊技盤。
【請求項６】
請求項５に記載の遊技盤を備えたことを特徴とするパチンコ遊技機。
【発明の詳細な説明】
【技術分野】
【０００１】
本発明は、遊技盤面に形成した貫通穴の前面開口を塞ぐように配置した透光性の絵柄フィルムの背面側に配置したＬＥＤ光源からの光を前方に照射する際に該絵柄フィルムに形成した電飾図柄が必要最少数のＬＥＤ光源を用いても明瞭に投影されるようにしたパチンコ遊技機における装飾装置、電飾ユニット、電飾装置、及びパチンコ遊技機に関する。
【背景技術】
【０００２】
パチンコ機、アレンジボール等の遊技機においては、従来から、単なる照明効果のみならず、遊技盤上における遊技状態の変化等の状況変化を視覚的に表現、報知したり、遊技進行上での電飾効果を図る等の目的から、盤面上、その他任意の部位にＬＥＤランプやフィラメント式ランプ等の発光装置を配置している。
この種のパチンコ遊技機として、例えば遊技盤の遊技領域に形成した貫通穴の背面側に、複数の発光素子を前面に搭載したプリント基板を配置するとともに、貫通穴の前面開口を閉止するように盤面に透光性のカバー部材を取り付けたり、透光性を有するセルシートを貼付した電飾部を備えたものがある。これによれば、電飾部が遊技盤面より突出せず同一平面となっているため、電飾部によって遊技領域を流下する遊技球の正常な動作が妨げられる虞がなく、また電飾部が遊技盤面に対して突出している従来タイプと比較して遊技球が流下、或いは転動するスペースを広く確保することができるため、限られた遊技領域を有効に活用することができる。
【０００３】
実開平２−３９７８３号、特開２００４−２０９０３９、特開２００５−１５２１７９には、夫々半透明セルシートによって盤面（ベニヤ板面）に貫通形成した透光穴を閉止すると共に、この透光穴の内部に配置したＬＥＤ等の光源からの光によってセルシートに形成した所要の電飾図柄を発光させるようにした遊技機が開示されている。電飾図柄は、セルシートの一部を光が透過し得る透光部とすることにより、光源からの発光により電飾図柄の線図、輪郭線を前方から視認できるように構成したものである。
このような電飾装置においては、例えば、電飾図柄を構成する線図や輪郭線が光によって浮き出てその形状を明確に視認できるようにする工夫が種々なされているが、光源として使用されるＬＥＤは点光源であって出射光の照射範囲が極めて限られているため、セルシートに照射されて前方へ透過する光の範囲が狭く極限されている。このため、セルシートに描いた電飾図柄を背面側から照明した場合に、局部的な照明領域以外の図柄部分が不明瞭となりやすかった。一つの電飾図柄の全面に亘って多数のＬＥＤを配置することにより、照明範囲を拡大することは可能であるが、コスト、設置スペース等の点から使用するＬＥＤの個数を必要最小数に抑えたいという要請が強い。
【０００４】
次に、例えば遊技盤面に形成した組付け穴（透光穴）内に嵌合するタイプの装飾部材（電飾部材）を複数個遊技盤面上に数ｍｍ程度の狭い間隔を隔てて隣接配置する場合には、各装飾部材の形状、サイズに整合した穴を盤面に一つずつ個別に形成する必要があった。各穴はルーターの切削刃（ビット）によって個別に切削加工されるが、数ｍｍ程度の狭い間隔をおいて穴を形成する場合、穴間に位置する合板部分の幅が薄くなってその強度が著しく低下し易く、切削加工中や、切削加工後の部品組付け時に破断する等の虞があった。また、円形、楕円形等の湾曲した内周形状を有した穴を切削加工する際に、穴の径が小さかったり、内周縁の曲面の曲率が大きい場合には、最小径の切削刃を用いたとしても加工できる穴の形状、配置間隔に制限が生じたり、穴の加工精度や量産性が低下することがあった。
【特許文献１】実開平２−３９７８３号公報
【特許文献２】特開２００４−２０９０３９公報
【特許文献３】特開２００５−１５２１７９公報
【発明の開示】
【発明が解決しようとする課題】
【０００５】
従来の電飾装置においては、点光源としてのＬＥＤを用いてセルシートに描いた電飾図柄を照明するようにしていたために照明範囲が極限されており、使用するＬＥＤ数を最少数に抑えながら電飾図柄全体を明確にライトアップさせて視認可能に構成することが困難であった。
更に、電飾部材等の装飾部材を嵌合したり、背面からのバックライトを前方に照射するための透光穴（組付け穴）をルーターの切削刃を用いて合板からなる遊技盤面に複数個隣接して形成した場合に、各透光穴間に残留する合板部分が小幅となるために機械的強度が低下して破断し易くなる虞があった。
また、透光穴を個別に加工する必要があるために、透光穴が小径であったり、湾曲した内周面の曲率半径が小さい場合には、最小径の切削刃を用いたとしても加工が困難化し、加工精度の低下や、加工できる形状に制限が発生するという問題があった。
【０００６】
本発明は上記に鑑みてなされたものであり、遊技盤面上における遊技状態の変化等の状況変化を視覚的に表現、報知したり、遊技進行上での電飾効果を図るために、遊技盤を構成するベニヤ板に形成した透光穴を介してＬＥＤ光源からの光を前方に照射すると共に、この透光穴を塞ぐシート材に電飾図柄を表示することによって透光穴の内側からの光源光によって電飾図柄を発光させるようにしたパチンコ遊技機において、点光源としてのＬＥＤを必要最少数使用しながらも十分な光量にて、しかも光量バラツキなく、電飾図柄を照明して前方から視認し易くした装飾装置、電飾ユニット、電飾装置、及びパチンコ遊技機を提供することを目的としている。
更に、本発明は、電飾部材を嵌合配置したり、或いは遊技盤表層部に配置した電飾図柄を背面側から照明するために、遊技盤面にルーター加工によって透光穴を形成する際に、切削加工手数を低減し、かつ透光穴の加工精度の低下による部品組付け精度の低下を防止することができる技術を提供することを他の目的としている。
【課題を解決するための手段】
【０００７】
上記目的を達成するため、請求項１の発明に係る装飾装置は、遊技盤に形成した中央開口部と、該中央開口部の周縁に沿った遊技盤面に開口形成された貫通穴状、或いは切欠き穴状の透光穴と、前記中央開口部内に配置されるセンター部材と、前記透光穴内に配置される装飾部品と、を備え、前記装飾部品は、前記センター部材に固定され且つ前記透光穴の前面に配置された透光板と、該透光板の背面に配置され、且つ前記透光穴内に対応する領域内に近接して描かれた複数の絵柄を有した透光性の絵柄フィルムと、該絵柄フィルムの背面であって各絵柄に対応する範囲に配置された光拡散透光性フィルムと、該各光拡散透光性フィルムの背面であって前記各絵柄に対応する範囲に夫々配置された光拡散用の凹レンズ板と、各凹レンズ板の外周輪郭に沿って裏面側に突設された遮光性の環状隔壁と、を備え、一つの前記透光穴内に対応する範囲には、複数の前記環状隔壁が含まれていることを特徴とすることを特徴とする。
【０００８】
本発明の装飾装置を構成する各装飾部品は中央開口部に配置されるセンター部品の一部を構成する透光板の背面に対して順次組み付けられる構成を有している。このため、組付け手数を低減することができる。個々の絵柄毎に対応した小サイズの透光穴を複数形成するのではなく、複数の絵柄を包含し得る開口面積を有した大サイズの透光穴を形成し、この透光穴に対して樹脂成形品からなる装飾部品を組み付けるようにしたので、絵柄と透光穴、絵柄と各装飾部品との位置精度を高めることが可能となり、各部品間の位置ずれによる装飾効果の劣化という不具合を解消できる。光拡散透光性フィルム、凹レンズ板は光を拡散して絵柄に照射させる機能を有しているため、点光源としてのＬＥＤの欠点である照明範囲の狭小化という不具合を解消できる。環状隔壁は、各絵柄に対応するＬＥＤからの出射光が隣接する他の絵柄側に漏れることによる絵柄像のぼけ等を防止するのに貢献する。
【０００９】
請求項２に記載の装飾装置は、請求項１において、前記各絵柄に対応する前記透光板の背面を凹状に構成することによって凸レンズとして構成したことを特徴とする。
また、透光板自体に凸レンズを形成することにより、個々の絵柄を拡大して表現し、更に背面からのバックライト光を拡散して絵柄の視認性を高めることができる。
請求項３の発明に係る装飾ユニットは、請求項１又は２に記載の装飾装置の背面側であって各環状隔壁の中空内部と対応する位置に夫々配置された発光部材と、前記各発光部材と前記各レンズ板との間に配置され複数の光拡散用の小凸レンズを隣接配置した凸レンズアレイと、を有したことを特徴とする。
凸レンズアレイは、点光源としてのＬＥＤからの光を効果的に拡散して前方へ向けて照射することを可能とする。
【００１０】
請求項４の発明に係る電飾装置は、請求項１又は２に記載の装飾装置と、請求項２に記載の電飾ユニットを備えたことを特徴とする。
請求項５の発明に係る遊技盤は、請求項４に記載の電飾装置を備えたことを特徴とする。
請求項６の発明に係るパンチコ遊技機は、請求項５に記載の遊技盤を備えたことを特徴とする。
【発明の効果】
【００１１】
本発明によれば、遊技盤面上における遊技状態の変化等の状況変化を視覚的に表現、報知したり、その他、遊技進行上での電飾効果を図るために、遊技盤面の遊技領域内に、背面側に配置した光源を発光させることにより図柄内容を発光表示させるようにした電飾図柄を配置したパチンコ遊技機において、遊技盤を構成する基材に貫通形成した透光穴の背面側に離間配置したＬＥＤ光源等の発光部材からの光を前方に拡散させて電飾図柄を十分な光量にて発光、表示させて、その視認性を高めることができる。
また、遊技盤を構成する基材に透光穴（組付け穴）のＲ形状部の曲率が、ルーター加工が困難な程度に大きい場合に、個々の透光穴を個別に形成するのではなく隣接した複数の透光穴を連通させた形状の大サイズの透光穴を形成しておき、この連通穴を利用して複数の電飾部品を組み付けるように構成したので、遊技盤に対する加工手数が低減し、生産性を向上させることができる。
【発明を実施するための最良の形態】
【００１２】
以下、添付図面に基づいて本発明を詳細に説明する。
図１は本発明の一実施形態に係る電飾装置及び各種盤面部品を備えた遊技盤の正面図、図２は本発明の一実施形態に係る電飾装置、及び遊技盤の分解斜視図、図３は電飾装置の構成を示す断面図である。
図１に示すパチンコ遊技機は矩形環状の枠１００を備え、この枠１００の内側に遊技盤１が着脱自在に取り付けられている。枠１００の一側端縁には、遊技盤の前面を覆うガラス板を備えた図示しないガラス扉枠が開閉自在に軸支されている。また、遊技盤の裏面には、液晶画面、主制御基板とサブ制御基板等、遊技の進行、演出に関わる裏部品を組み付けた合成樹脂製の機構板（何れも図示せず）が開閉自在に装着されている。
【００１３】
遊技盤１は、パチンコ遊技機本体の正面に配置されて各種盤面部品を搭載する板部材である。遊技盤１は、合板、樹脂板、その他の任意の材料からなる基材上に直接又は間接的にセルシート（シート材）を貼着した構成を備えている。遊技盤１の前面には流下する遊技球の動作に変化を与えたり、流下方向をガイドするための図示しない遊技釘が植設されている。
遊技盤１における遊技領域２の周囲には、発射装置から発射された遊技球を遊技領域２の上部に案内したり、アウト球回収口８に案内する外レールＲ１、及び内レールＲ２が設けられている。
【００１４】
また、遊技領域２のほぼ中央部に設けた中央開口部４内には、中央が開口したセンター部材１０が配置されると共に、センター部材１０の内部には液晶表示装置やＣＲＴ等で構成され、各種の図柄をカラー画像等で変動表示する図柄変動表示装置（可変表示装置）１１等が配置されている。中央開口部４内に設置される図柄変動表示装置１１の下方には、始動入賞口５ａ、可動入賞口５ｂが配置されていて、始動入賞口５ａ、可変入賞口５ｂに遊技球が入るたびに図柄変動表示装置により複数種類の図柄が変動表示され、表示図柄が所定図柄にて停止すると遊技者に有利な特別遊技状態が発生するようになっている。なお、可動入賞口５ｂは、遊技球がゲートを通過したことを条件に始動する乱数が所定値となったときに可動片が所定時間、開成動作する。中央開口部４の周縁に沿った遊技盤面には中央開口部４と連通した切欠き穴状の透光穴３０、３１が形成されており、各透光穴内には装飾装置３５が嵌合配置される。
遊技盤１の下方には、遊技盤１に対して遊技球を発射する発射装置に遊技球を供給する発射球供給皿６、打球発射用ハンドル７等が設けられている。
【００１５】
本発明の特徴は、センター部材１０の一部に組み付けられた装飾装置３５と、装飾装置３５の背面側に配置されたＬＥＤ（発光部材）を含む電飾ユニット５５と、からなる電飾装置７０の構成にある。
装飾装置３５は、センター部材１０に一体化され且つ各透光穴３０、３１の前面を塞ぐ透光板３６（３６ａ、３６ｂ）と、透光板３６の背面に添設され、且つ各透光穴内に対応する領域内に近接して描かれた複数の絵柄（楕円形のバレーボールの図柄）４１を有した透光性の絵柄フィルム４０（４０ａ、４０ｂ）と、絵柄フィルム４０の背面であって各絵柄４１に対応する位置に配置された光拡散透光性フィルム４５（４５ａ、４５ｂ）と、各光拡散透光性フィルム４５の背面であって各絵柄に相当する範囲に夫々個別に配置された光拡散用の凹レンズ板５０と、各凹レンズ板５０の外周輪郭に沿ってその裏面側に突設された遮光性の環状隔壁５１と、各環状隔壁５１を連設一体化する連設板５２と、を備えている。装飾装置３５を構成する上記各部品は装飾部品を構成している。環状隔壁５１と連設板５２とは、隔壁ユニット５３を構成している。
【００１６】
本実施形態では、センター部材１０の右上周縁に沿って外径方向へ張出し形成された大小２つの透明樹脂製の透光板３６ａ、３６ｂに対して夫々一枚ずつの絵柄フィルム４０ａ、４０ｂが添設されている。大サイズの透光板３６ａには３個のバレーボールの絵柄が描かれた絵柄フィルム４０ａが添設されると共に、小サイズの透光板３６ｂには五つのバレーボールの絵柄が描かれた絵柄フィルム４０ｂが添設される。両絵柄フィルム４０ａ、４０ｂは一枚の絵柄フィルムとしてもよい。透光板３６に対する絵柄フィルム４０の取付けはネジ止め、接着等、任意の手法が選択可能である。
各透光板３６ａ、３６ｂが各絵柄４１と対面する箇所には、各透光板の裏面が前方へ凹陥した凸レンズ３７が形成されており、各凸レンズ３７が各絵柄４１を個別に拡大するように構成されている。透光板３６の前面は、遊技球が通過する領域であるためにフラットな面にするが、裏面側は凹陥させることによって凸レンズ３７として構成することができる。凸レンズ３７は各絵柄を拡大表示して視認性を高めるとともに、立体感を表現するために機能する。
【００１７】
光拡散透光性フィルム４５ａ、４５ｂは、各絵柄フィルム４０ａ、４０ｂの背面に固定されるか、或いは隔壁ユニット５３の前面に固定される。
樹脂製の隔壁ユニット５３を構成する環状隔壁５１はバレーボールの絵柄の輪郭形状に合わせた楕円形状の筒状体であり、各環状隔壁５１の前面開口内には後方（背面側）に凹陥した光拡散用の凹レンズ板５０が夫々固定されている。
装飾装置３５の背面側には電飾ユニット５５が組み付けられており、ＬＥＤからの光によって各環状隔壁５１の前方に配置された絵柄フィルム４０上の絵柄４１を発光、照明させるようにしている。
【００１８】
電飾ユニット５５は、装飾装置３５の背面側であって各環状隔壁５１内の各凹レンズ板５０に対応する位置に夫々配置されたＬＥＤ（発光部材）５６と、各ＬＥＤ５６と各凹レンズ板５０との間に配置され複数の光拡散用の小凸レンズ６０ａを隣接配置した凸レンズアレイ６０と、を有している。各凸レンズアレイ６０は、遊技盤１の裏面側から組み付けられる背面側センター部材６１の前面に配置されており、各凸レンズアレイ６０の背面側に対してＬＥＤ５６を前面に搭載したプリント基板５７（５７ａ、５７ｂ）が組み付けられる。
この例では、最大サイズのバレーボール絵柄４１ａに対応したＬＥＤ５６の個数は３個であり、次にサイズ小さい絵柄４１ｂに対しては２個のＬＥＤ５６が配置されており、三番目以降の小サイズ絵柄４１ｃに対応するＬＥＤの個数は全て一個となっている。
このように絵柄のサイズが順次小さくなるのに比例して照明用に使用するＬＥＤの個数を減少させてはおらず、三番目以降の絵柄４１ｃはサイズが順次減少するにも拘わらず一つのＬＥＤにより照明している。
【００１９】
本発明においてはＬＥＤ５６からの発光光量は凸レンズアレイ６０によって増強、拡散された状態で各対応する環状隔壁５１内に入射し、各環状隔壁５１の開口部に配置された凹レンズ板５０を透過する際に更に拡散され、次いで各凹レンズ板５０の直前方に配置された各光拡散透光性フィルム４５によって更に均一に拡散された状態で絵柄フィルム４０に照射されることにより絵柄フィルム４０上の対応する絵柄４１の全体を均一に照明することができる。
従って、使用するＬＥＤ５６の個数が各絵柄の面積に比して少なくても、凸レンズアレイ６０、凹レンズ板５０、光拡散透光性フィルム４５によって順次拡散して投影される光源光によって各絵柄全体を十分な光量にて均一に照明し、各絵柄を前方から明瞭に視認することが可能となる。点光源であるために照明範囲が点状に極限され易いＬＥＤの欠陥をこの構成によって補うことができる。
【００２０】
なお、ＬＥＤ５６と凸レンズアレイ６０との間に必要十分な距離をおくことにより、凸レンズアレイ６０を構成する個々の小さい凸レンズがＬＥＤからの光を十分に拡散して前方へ出射させることができる。
また、絵柄４１自体は凸レンズ３７を有した各透光板３６によって拡大されるために更に鮮明に、且つ立体的にボール形状として視認することができる。
各環状隔壁５１を絵柄毎に設けて対応するＬＥＤからの光を絵柄に集中して照射させることにより、隣接する絵柄間に光が漏れて輪郭線が鮮明となり、外観が良好になる。反対に、環状隔壁によって各ＬＥＤからの光を遮光しない場合には絵柄間の光の漏れによって絵柄の外観が悪化する。
【００２１】
次に、本発明においては個々の絵柄４１に対応した透光穴を個別に遊技盤に形成する代わりに、複数の絵柄４１を包括するための大サイズの透光穴３０、３１を形成し、各透光穴３０、３１内に対応して、複数の絵柄４１（透光穴３０に対しては３個、透光穴３１に対しては５個）と、各光拡散透過性フィルム４５ａ、４５ｂと、各凹レンズ板５０と、環状隔壁５１と、凸レンズアレイ６０、及び各ＬＥＤ５６が順次配置されている。
なお、本発明の透光穴３０、３１は、中央開口部４と連通した切欠き穴状の構成となっているが、中央開口部４とは分離独立した貫通穴であってもよい。
このように本発明の遊技盤においては、各絵柄４１に対応して小径の透光穴を複数個隣接して形成していないため、ルーターの切削刃によって遊技盤に透光穴を形成する際の切削手数を低減すると共に、曲率の大きいＲ形状部が少なくなるために、透光穴の内周の形状精度を高めることが可能となり、生産性を向上することができる。また、各透光穴３０、３１間に十分な間隔を形成できるので、透光穴間に位置する合板部分の幅も十分に大きく確保することができ、透光穴間の合板部分が脆弱化する虞がなくなり、遊技盤加工時の歩留まりを向上することができる。
【００２２】
透光穴３０、３１については、複数の絵柄を包括し得る程度に大きいサイズに加工したとしても、各透光穴内に配置される個々のバレーボールの絵柄を絵柄フィルム４０面に形成することにより、任意のレイアウトで、任意の個数だけ、絵柄を近接配置することが可能となる。即ち、合板等から成る遊技盤１の基材にルーター加工によって小さい曲率半径を有した楕円、円等のＲ形状部からなる透光穴を形成しようとした場合には透光穴の形状を正確に形成できず、絵柄と透光穴の各輪郭とが不一致になったり、ＬＥＤと透光穴の位置関係にずれが発生して図柄が綺麗に発光しない等の不具合が発生していた。これに対して本発明においては、透光穴を大サイズに形成したために曲率の大きいＲ形状部がなくなってその加工精度を高めることができる一方で、寸法精度が十分に確保された樹脂成形品としての装飾装置３５、電飾ユニット５５を各透光穴３０、３１に組み付けるようにしたので、絵柄と透光穴との位置関係のずれや、絵柄とＬＥＤとの位置関係のずれがなくなる。
【図面の簡単な説明】
【００２３】
【図１】本発明の一実施形態に係る電飾装置及び各種盤面部品を備えた遊技盤の正面図である。
【図２】本発明の一実施形態に係る電飾装置、及び遊技盤の分解斜視図である。
【図３】本発明の一実施形態に係る電飾装置の構成を示す断面図である。
【符号の説明】
【００２４】
１…遊技盤、２…遊技領域、４…中央開口部、６…発射球供給皿、７…打球発射用ハンドル、８…アウト球回収口、１０…センター部材、３０、３１…透光穴、３５…装飾装置、３６…透光板、３６ａ、３６ｂ…透光板、３７…凸レンズ、４０…絵柄フィルム、
４０ａ、４０ｂ…絵柄フィルム、４１…絵柄、４５…光拡散透光性フィルム、５０…凹レンズ板、５１…環状隔壁、５２…連設板、５３…隔壁ユニット、５５…電飾ユニット、５６…ＬＥＤ（発光部材）、５７…プリント基板、６０…凸レンズアレイ、６０ａ…小凸レンズ、６１…背面側センター部材、７０…電飾装置、１００…枠。
【図１】
2008167878.tif 000003
【図２】
2008167878.tif 000004
【図３】
2008167878.tif 000005